(57)【要約】      （修正有）【課題】紙ウェブは、製紙機械内の乾燥シリンダから巻き取り器へと向かう移動経路をたどる。可撓性ベルトが所定の移動経路に沿って回転するように取り付けられる。紙ウェブが不安定になって無端可撓性部材上でばたつく場合があることが分かってきた。そのような不安定性およびばたつきを是正する。【解決手段】巻き取り器は、可撓性ベルト６と紙ウェブＷとの間に形成される楔形状空間から離れるように空気を逸らすあるいは排出するためのエアデフレクタ８をさらに備える。エアデフレクタは、紙ウェブおよび／または可撓性ベルトによって引き込まれる空気流を可撓性ベルトと紙ウェブとの間に形成される楔形状空間から離れるように逸らすことができる。【選択図】図３
2018140877.tif 000002
【特許請求の範囲】
【請求項１】
製紙機械内の乾燥シリンダ（２）から到達する紙ウェブ（Ｗ）を受け取り、当該紙ウェブ（Ｗ）を巻き付けてロール（４）にするための巻き取り器（３）であって、前記乾燥シリンダ（２）は前記巻き取り器（３）の上流側に位置され、前記紙ウェブ（Ｗ）は、前記乾燥シリンダ（２）から前記巻き取り器（３）へと向かう移動経路をたどり、前記巻き取り器（３）は、回転可能に取り付けられ、直径が次第に増大するように紙ロール（４）を形成するべく紙ウェブ（Ｗ）が巻き付けられ得るリールスプール（５）と、無端の可撓性ベルト（６）であって、該可撓性ベルト（６）がループを形成するように所定の移動経路に沿って回転するように取り付けられる、可撓性ベルト（６）とを備え、前記可撓性ベルト（６）は、巻き付け中に前記紙ウェブ（Ｗ）を前記リールスプール（５）に係合させるべく前記リールスプール（５）の近傍に位置され、前記巻き取り器（３）は、楔形状空間（ＷＳ）が前記可撓性ベルト（６）と前記紙ウェブ（Ｗ）との間に形成されるように前記紙ウェブ（Ｗ）が前記可撓性ベルト（６）と接する前記可撓性ベルト（６）との接触点（Ｐ）で終わる前記紙ウェブ（Ｗ）の移動経路の端部で前記紙ウェブ（Ｗ）を受けるように配置され、前記接触点（Ｐ）から前記紙ウェブ（Ｗ）が前記可撓性ベルト（６）によって前記リールスプール（５）へと運ばれる巻き取り器（３）において、
前記巻き取り器（３）は、前記接触点（Ｐ）の直前の領域にエアデフレクタ（８）をさらに備え、前記エアデフレクタ（８）は、前記紙ウェブ（Ｗ）および／または前記可撓性ベルト（６）によって引き込まれる空気流を前記楔形状空間（ＷＳ）から離れるように逸らすことができる、巻き取り器（３）。
【請求項２】
前記エアデフレクタ（８）は、幅方向に延びるとともに好ましくは略三角形断面を有するビームとして形成される、請求項１２に記載の巻き取り器（３）。
【請求項３】
前記エアデフレクタ（８）は、前記接触点（Ｐ）から離れた第１の位置であって、この第１の位置では前記エアデフレクタ（８）が前記紙ウェブ（Ｗ）または前記可撓性ベルト（６）によって引き込まれる空気に影響を及ぼさない、第１の位置と、第２の位置であって、この第２の位置では前記可撓性ベルト（６）および／または前記紙ウェブ（Ｗ）によって引き込まれる空気流が前記楔形状空間（ＷＳ）から離れて逸らされるように前記エアデフレクタ（８）が前記接触点（Ｐ）に近接する、第２の位置と、の間で移動できるように配置される、請求項２に記載の巻き取り器（３）。
【請求項４】
前記エアデフレクタ（８）が少なくとも１つのブレード（９）を有し、該ブレードは、前記エアデフレクタ（８）がその前記第２の位置にあるときに、前記ブレード（９）を前記可撓性ベルト（６）または前記紙ウェブ（Ｗ）にさらに近づけることができるように前記エアデフレクタ（８）に対して調整され得る、請求項３に記載の巻き取り器（３）。
【請求項５】
前記可撓性ベルト（６）が空気透過性であり、少なくとも１つのブローボックス（１１）が、前記紙ウェブ（Ｗ）を前記可撓性ベルト（６）に対して引き寄せる負圧を生み出すことができるように前記接触点（Ｐ）と前記リールスプール（５）との間で前記可撓性ベルト（６）のループの内側に配置される、請求項１に記載の巻き取り器（３）。
【請求項６】
前記可撓性ベルト（６）は、空気透過性であるとともに、前記可撓性ベルト（６）のループの内側のガイドロールによってそのループ内で案内され、前記リールスプール（５）は、前記リールスプール（５）の上流側に位置されるガイドロールと該ガイドロールの下流側に位置されるガイドロールとの間の箇所で前記紙ウェブ（Ｗ）と係合するように配置され、前記上流側ガイドロールは、前記可撓性ベルトが部分的に巻き付く吸引ロールである、請求項１に記載の巻き取り器（３）。
【請求項７】
前記可撓性ベルト（６）が空気透過性であり、前記巻き取り器は、前記紙ウェブが前記可撓性ベルトと接する前記接触点（Ｐ）で前記可撓性ベルト（６）のループの内側に位置される吸引ロール（１０）をさらに備え、前記吸引ロール（１０）は、前記接触点（Ｐ）の上流側および下流側の両方で作用する吸引ゾーンを有する、請求項１に記載の巻き取り器（３）。
【請求項８】
請求項１から７のいずれか記載の巻き取り器で紙ウェブを巻き取る方法であって、前記エアデフレクタ（８）により、前記可撓性ベルト（６）と前記紙ウェブ（Ｗ）との間に形成される前記楔形状空間（ＷＳ）から空気が逸らされる、方法。
【請求項９】
前記エアデフレクタ（８）を、前記接触点（Ｐ）から離れた第１の位置から、前記可撓性ベルト（６）および／または前記紙ウェブ（Ｗ）によって引き込まれる空気流が前記楔形状空間（ＷＳ）から離れて逸らされるように前記エアデフレクタ（８）が前記接触点（Ｐ）に近接する第２の位置へと移動させるステップを含む、請求項８に記載の方法。
【請求項１０】
前記可撓性ベルト（６）が空気透過性であり、空気は、前記紙ウェブ（Ｗ）が前記可撓性ベルト（６）と接する前記接触点（Ｐ）で前記可撓性ベルト（６）のループの内側に位置される吸引ロール（１０）を用いて前記楔形状空間（ＷＳ）から離れるように排出され、前記吸引ロール（１０）は、前記接触点（Ｐ）の上流側および下流側の両方で作用する吸引ゾーンを有する、請求項８に記載の方法。
【発明の詳細な説明】
【技術分野】
【０００１】
本発明は、製紙機械のドライエンドにおける巻き取り器、および、製紙機械のドライエンドで紙ウェブを巻き取る方法に関する。
【背景技術】
【０００２】
製紙機械のドライエンドでは、巻き取り器において、乾燥された紙ウェブがリールスプール上に巻きつけられペアレントロールとされる。米国特許第５９０１９１８号明細書には、リールスプールが移送ベルトなどの無端可撓性部材によって係合される巻き取り器が開示される。紙ウェブは、該紙ウェブが無端可撓性部材によって支持されたまま、ペアレントロールが紙ウェブに対して押し付けられるように、無端可撓性部材からペアレントロールへと移送される。紙ウェブをリールスプール上に巻き付けることができる前に、紙ウェブは、乾燥器から、紙ウェブが無端可撓性部材へと移送され得る箇所まで移動しなければならない。米国特許第５９０１９１８号明細書に開示される巻き取り器は、乾燥された紙ウェブが最初に紙ウェブを無端可撓性部材へと移送するドライエンドトランスファーファブリックまで移送される実施形態を含む。紙ウェブが無端可撓性部材に到達すると、ウェブは、その後、トランスファーファブリックと無端可撓性部材との間に挟まれる。米国特許第５９０１９１８号明細書に開示される巻き取り器は良好に機能する。しかしながら、多くの実用的な実施形態では、紙ウェブがオープンドローで終わる経路に沿って通されることが好ましい。そのような実施形態では、紙ウェブが不安定になって無端可撓性部材上でばたつく場合があることが分かってきた。したがって、本発明の目的は、そのような不安定性およびばたつきを是正することである。
【発明の開示】
【０００３】
本発明は、製紙機械のドライエンドにおける巻き取り器に関する。本発明の巻き取り器は、製紙機械内の乾燥シリンダから到達する紙ウェブを受け取り、当該紙ウェブを巻き付けてロールにするべく形成されて配置され、乾燥シリンダは巻き取り器の上流側に位置される。紙ウェブは、乾燥シリンダから巻き取り器へと向かう移動経路をたどる。巻き取り器は、回転可能に取り付けられ、直径が次第に増大するように紙ロールを形成するべく紙ウェブが巻き付けられ得るリールスプールと、無端の可撓性ベルトであって、該可撓性ベルトがループを形成するように所定の移動経路に沿って回転するように取り付けられる、可撓性ベルトとを備える。可撓性ベルトは、巻き付け中にウェブをリールスプールに係合させるべくリールスプールの近傍に位置される。巻き取り器は、楔形状空間が可撓性ベルトと紙ウェブとの間に形成されるように紙ウェブが可撓性ベルトと接する可撓性ベルトとの接触点で終わる紙ウェブの移動経路の端部で紙ウェブを受けるように配置される。本発明の多くの実施形態では、移動経路がオープンドローを含む。本発明の巻き取り器は、主に、オープンドローを含むとともにオープンドローで終わる紙ウェブの移動経路から紙ウェブを受けるべく配置されるようになっており（必ずしもそうである必要はない）、オープンドローは、可撓性ベルトとの接触点で、該接触点がオープンドローの端部に位置されるように終端する。接触点から紙ウェブが可撓性ベルトによってリールスプールへと運ばれる。本発明によれば、巻き取り器は、接触点の直前の領域にエアデフレクタをさらに備え、エアデフレクタは、紙ウェブおよび／または可撓性ベルトによって引き込まれる空気流を可撓性ベルトと紙ウェブとの間に形成される楔形状空間から離れるように逸らすことができる。
【０００４】
逸らされる空気は、主に、紙ウェブおよび／または可撓性ベルトによって引き込まれる境界層空気である。
【０００５】
エアデフレクタは、幅方向に延びるとともに略三角形断面を有するビームとして形成されてもよい。
【０００６】
エアデフレクタは、随意的に、接触点から離れた第１の位置であって、この第１の位置ではエアデフレクタが紙ウェブによって引き込まれる空気に影響を及ぼさない、第１の位置と、第２の位置であって、この第２の位置では可撓性ベルトおよび／または紙ウェブによって引き込まれる境界層空気が楔形状空間から離れて逸らされるようにエアデフレクタが接触点に近接する、第２の位置と、の間で移動できるように配置されてもよい。
【０００７】
本発明の実施形態では、エアデフレクタが少なくとも１つのブレードを備えてもよく、該ブレードは、エアデフレクタがその第２の位置にあるときに、ブレードを可撓性ベルトまたは紙ウェブにさらに近づけることができるようにエアデフレクタに対して調整され得る。
【０００８】
可撓性ベルトが空気透過性であるような本発明の実施形態において、巻き取り器は、紙ウェブが可撓性ベルトと接する接触点に位置される吸引ロールを備えてもよく、吸引ロールは、接触点の上流側および下流側の両方で作用する吸引ゾーンを有する。このとき、吸引ロールは、可撓性ベルトと紙ウェブとの間に形成される楔形状空間から離れるように空気を排出することによって境界層空気の除去に寄与してもよい。
【０００９】
可撓性ベルトが空気透過性であるような本発明の実施形態では、随意的に、少なくとも１つのブローボックスが、紙ウェブを可撓性ベルトに対して引き寄せる負圧を生み出すことができるように接触点とリールスプールとの間で可撓性ベルトのループの内側に配置されてもよい。
【００１０】
可撓性ベルトは、該可撓性ベルトのループの内側のガイドロールによってそのループ内で案内されてもよい。このとき、リールスプールは、リールスプールの上流側に位置されるガイドロールと該ガイドロールの下流側に位置されるガイドロールとの間の箇所でウェブと係合するように配置されてもよい。空気透過性の可撓性ベルトを使用する実施形態では、この場合、上流側ガイドロールは、前記可撓性ベルトが部分的に巻き付く吸引ロールであってもよい。
【００１１】
また、本発明は、巻き取り器で紙ウェブを巻き取る方法に関する。本発明の方法では、可撓性ベルトと紙ウェブとの間に形成される楔形状空間から空気が逸らされる。
【図面の簡単な説明】
【００１２】
【図１】本発明に係る巻き取り器の一部の概略側面図である。
【図２】本発明の発明特徴を欠く、製紙機械のドライエンドに配置された巻き取り器の側面図である。
【図３】図２に類似するが、図２よりも大きいスケールで本発明の一実施形態に係る巻き取り器を示す側面図である。
【図４】図３と同様であるが、さらに一層大きいスケールで詳細を示す図である。
【図５】図４における構成要素のうちの１つをさらに大きなスケールで示す。
【図６】図３と同様であるが、境界層空気の更なる除去のために吸引ロールをさらに使用する一実施形態を示す図である。
【発明を実施するための形態】
【００１３】
図１を参照すると、米国特許第５９０１５１８号明細書に開示される態様で機能する巻き取り器３が示される。紙ウェブが可撓性ベルト６によってニップ点Ｃへと運ばれ、ニップ点Ｃでは、巻き取り中に、可撓性ベルト６が、ウェブを紙ウェブが紙ロール４へと巻き付けられるようにリールスプール５に係合させる。無論、ウェブがリールスプール５上に巻き付けられるようになって紙ロール４を形成し始めた時点で、到達する新たな紙ウェブは、リールスプール上に形成されている紙ロール４を介してリールスプール５に押し付けられる。この特許出願およびこの特許出願上で与えられる任意の特許の文脈において、“ウェブをリールスプールに係合させる”という表現は、ニップ点Ｃに到達するウェブが可撓性ベルト６によってリールスプール５上に巻き付けられている紙ロール４に対して係合させられる場合を含むように理解されるべきである。図１には、リールスプール５がどのようにキャリッジ２３内に載置し得るのかが概略的に示される。図１には見えないが、リールスプール５のそれぞれの軸方向端部がそのようなキャリッジ２３内で適切に支持されることが理解されるべきである。巻き付け中に、紙ロール４の直径が増大する。その結果として、可撓性ベルト６がその当初の経路から離れるように撓む。図１では、撓み量が参照符号Ｄによって示される。米国特許第５９０１９１８号明細書に開示されるように、撓みＤ（撓みＤは必ずしもニップ点Ｃで測定される必要はない）を測定するために検出装置２２が配置される。検出装置２２は、例えば、距離を検出するためのレーザセンサであってもよい。撓みＤは検出装置２２によって検出される。検出された撓みＤによって、検出装置２２は、検出された撓みＤの大きさに応じた信号を生成する。検出装置２２によって生成された信号は、例えばコンピュータであってもよいロジックコントローラ（図示せず）へ送られる。ロジックコントローラは、リールスプールが内側で支持されるキャリッジ２３に作用するように配置されるアクチュエータ７に接続される。適切には、そのようなアクチュエータ７は、リールスプール５のそれぞれの軸方向端部でキャリッジ２３に作用するように配置されてもよく、また、それぞれのそのようなアクチュエータ７がロジックコントローラと接続していてもよい。ロジックコントローラは、撓みＤを略一定に維持するようにプログラミングされる。撓みＤが増大することを示す信号をロジックコントローラが検出装置２２から受けると、ロジックコントローラにより、１または複数のアクチュエータ７は、１または複数のキャリッジ２３が可撓性ベルト６から離れるように１または複数のキャリッジ２３に作用する。それにより、撓みＤを一定に維持できるように紙ロール４も可撓性ベルト６から離れる。その結果、巻き付けプロセスを一様且つ均一な態様で行うことができるようにニップ点Ｃにおける圧力を略一定に維持することができる。１または複数のキャリッジ２３がレール２１上で移動するように配置されて、１または複数のアクチュエータ７がキャリッジをレール２１に沿って滑らせるようになっていてもよい（図２参照）ことが理解されるべきである。図１では撓みＤが必ずしもニップ点Ｃで測定（検出）されないことを付け加えて言うことができる。代わりに、撓みは、ニップ点Ｃのやや上流側にある点Ｍで測定され得る。しかしながら、実際のニップ点Ｃであるいはニップ点Ｃのやや後側で測定を行うこともできる。米国特許第５９０１９１８号明細書の図３に示される巻き取り器の構造が本発明において使用されてもよい。
【００１４】
ここで、図１に示される類の巻き取り器をどのようにして製紙機械内に配置できるのか示す図２を参照する。図２は、製紙機械、特にティッシュペーパーを製造するための機械のドライエンド１の一実施形態を示す。巻き取り器３は、製紙機械内の乾燥シリンダ２から到達する紙ウェブＷを受け取り、当該紙ウェブを巻き付けてロール４にするように配置されて形成される。乾燥シリンダ２は巻き取り器３の上流側に配置され、また、紙ウェブＷは、乾燥シリンダ２から巻き取り器３へと向かう移動経路をたどるようになっている。乾燥シリンダ２は、高温蒸気によって内側から加熱されるヤンキー（Ｙａｎｋｅｅ）乾燥シリンダであってもよい。紙ウェブＷをその移動経路に沿って巻き取り器３へ送ることができるように乾燥シリンダ２の表面から紙ウェブＷを剥ぎ取るべくドクターブレード１６が配置される。紙ウェブＷは、随意的には、巻き取り器へのその経路上で、ウェブ支持体により、移動経路の少なくとも一部に沿って支持されてもよい。乾燥シリンダ２と巻き取り器３との間で使用するのに適したウェブ支持体の一例が米国特許第５７３８７６０号明細書に開示されており、また、他のウェブ支持体も想定し得る。また、トランスファーファブリックとして機能するベルトによって紙ウェブが支持され得るウェブ支持体も知られている。紙ウェブＷのための支持体が使用されない場合には、紙ウェブＷがオープンドロー（紙ウェブの移動経路の支持されない部分）を通過しなければならない。図２にはウェブ支持体が示されないが、紙ウェブＷの移動経路の少なくとも一部のためにウェブ支持体が使用されてもよいことが理解されるべきである。しかしながら、そのようなウェブ支持体が配置される空間を他の機器が塞ぐ場合があるため、ウェブ支持体を使用することが時として困難な場合がある。例えば、紙ウェブＷの移動経路に沿ってカレンダまたは測定機器が存在する場合がある。図２の実施形態において、紙ウェブＷは、該紙ウェブＷが通過できるカレンダ加工ニップを形成する２つのロールを有するカレンダ１７を通過する。カレンダ１７は紙ウェブの表面特性を改善できるが、カレンダ１７が任意であることが理解されるべきである。カレンダ１７に加えて、例えば紙ウェブＷの坪量および／または乾燥固形分などの特性を測定するために測定ユニット１８が配置されてもよい。
【００１５】
図１に関連して説明したように、巻き取り器３は、回転可能に取り付けられ、直径が次第に増大するように紙ロール４を形成するべく紙ウェブＷを巻き付けることができるリールスプール５と、無端の可撓性ベルト６であって、該可撓性ベルト６がループを形成するように所定の移動経路に沿って回転するように取り付けられる、可撓性ベルト６とを備える。図１に関連して既に説明したように、可撓性ベルト６は、巻き付け中に紙ウェブＷをリールスプール５に係合させるべくリールスプール５の近傍に位置される。
【００１６】
図２において分かるように、巻き取り器３は、随意的に、垂直または略垂直なピラー１９によって支持されるスタンドを含んでもよい。ピラー１９は、レール２１を有する平行な水平下側ビーム２０を支持してもよく、レール２１上でリールスプール５のキャリッジ２３が移動されてもよい。紙ロール４が完成されると、該紙ロールは、可撓性ベルト６から離れるようにレール２１に沿って搬送される。また、ピラー１９は、レール２５を有する上側水平ビーム２４を支持してもよく、新たな空のリールスプール５がレール２５に沿って支持されてもよい。したがって、上側レール２５は、新たなリールスプール５のための格納部としての役目を果たしてもよい。新たな紙ロール４がそのリールスプール５上に完全に巻き付けられたときには常に、新たな空のリールスプール５が上側レール５から引き出されて所定位置に配置され、この位置で、新たな紙ロール４を形成するべく紙ウェブＷを新たなリールスプール５上に巻き付けることができる。新たなリールスプール５を格納部から引き出してそれを所定位置に至らせる手順は知られており、したがって、その手順についてはここではこれ以上説明しない。
【００１７】
図２、図３、および、図６において最も良く分かるように、巻き取り器３は、紙ウェブＷの移動経路の端部で紙ウェブＷを受けるように配置される。紙ウェブＷの移動経路は、紙ウェブＷが可撓性ベルト６と接する可撓性ベルト６との接触点Ｐで終わる。接触点Ｐから、紙ウェブＷは、可撓性ベルト６によってリールスプール５へと運ばれる。このようにして紙ウェブＷが可撓性ベルト６と接すると、可撓性ベルト６と紙ウェブＷとの間に楔形状空間ＷＳが形成される。紙ウェブＷが接触点Ｐへ向けて移動するにつれて、紙ウェブは、必然的に、楔形状空間ＷＳ内へと運ばれる空気の境界層を有する。同様に、可撓性ベルト６も、楔形状空間ＷＳ内へ運ばれる空気の境界層を有する。空気が楔形状空間ＷＳ内へ流れ込むと、これが楔形状空間ＷＳ内の圧力の増大をもたらし得るとともに、空気が接触点Ｐの後で可撓性ベルト６と紙ウェブとの間に押し込まれる可能性があり、それにより、紙ウェブＷがばたつく場合がある。紙ウェブＷのばたつきは、ウェブ破損および他の望ましくない問題をもたらす場合がある。例えば、隙間ＷＳに流れ込む空気は、幅方向（ｃｒｏｓｓ  ｍａｃｈｉｎｅ  ｄｉｒｅｃｔｉｏｎ：ＣＤ方向）のウェブ移動を引き起こす場合があり、また、そのような幅方向の移動は、巻き取りプロセスに支障を来す場合がある。したがって、楔形状隙間ＷＳ内への空気の流入が妨げられなければならない。
【００１８】
紙ウェブＷおよび／または可撓性ベルト６によって引き込まれる空気に伴う問題は、紙ウェブがその移動経路の終端で支持されない場合にさらに大きくなる。紙ウェブＷがトランスファーファブリックの下側で接触点Ｐへ向けて運ばれる場合には、トランスファーファブリックがばたつき傾向を減少させるのに寄与し得る。しかしながら、そのようなウェブ支持装置のための空間を見出すことは、しばしば困難な場合がある。そのため、紙ウェブＷの移動経路は、通常、紙ウェブが支持されないようにオープンドローで終わる。このように、巻き取り器３へ向かう紙ウェブの移動経路はオープンドローを含み、また、オープンドローは、可撓性ベルト６との接触点Ｐがオープンドローの端部に位置されるように移動経路の端部に位置される。そのような状況下では、ウェブばたつきのリスクがさらに大きくなる。また、楔形状空間ＷＳ内へ引き込まれるようになる空気（すなわち、境界層空気）の流れは、実際には、紙ウェブＷが接触点にまで至る全体にわたって支持される場合であっても、また、トランスファーファブリックが使用される場合であっても（トランスファーファブリックが少なくともかなりの程度まで問題を減少させる場合であっても）、少なくとも何らかの障害を引き起こす場合がある。図２の実施形態では、接触点Ｐへ向けて紙ウェブＷを案内するために、接触点Ｐの上流側にガイドロール２６が配置されてもよい。
【００１９】
紙ウェブＷのばたつきを是正するために、発明者は、紙ウェブＷおよび／または可撓性ベルト６によって引き込まれる空気の境界層をそれが楔形状空間ＷＳに達する前に楔形状空間ＷＳから逸らすべきであることを見出した。したがって、本発明の巻き取り器３には、紙ウェブＷと可撓性ベルト６との間に形成される楔形状空間ＷＳから離れるように空気を逸らすための手段が設けられる。
【００２０】
ここで、図３および図４を参照する。図２の巻き取り器とは異なり、図３および図４に示される巻き取り器３には、接触点Ｐの直前の領域に、エアデフレクタ８が設けられる。エアデフレクタ８は、紙ウェブＷおよび／または可撓性ベルト６によって引き込まれる空気流（すなわち、紙ウェブＷおよび／または可撓性ベルト６によって引き込まれる境界層空気）を楔形状空間ＷＳから離れるように逸らすことができる。
【００２１】
エアデフレクタ８は、好適には、幅方向に延びるビームとして形成されてもよい。ビームは、好ましくは略三角形である断面を有する。そのような形状の場合には、エアデフレクタ８の尖端が楔形状空間ＷＳ内へとさらに延びてもよく、また、エアデフレクタ８の形状が楔形状空間ＷＳの形状とほぼ同様であってもよい。紙ウェブＷおよび／または可撓性ベルト６によって引き込まれる空気がエアデフレクタ８に達すると、エアデフレクタ８は、引き込まれる空気の少なくとも一部が楔形状空間ＷＳに入って障害を引き起こすことを防止する。
【００２２】
好ましくは、エアデフレクタ８は、接触点Ｐから離れた第１の位置であって、この第１の位置ではエアデフレクタ８が紙ウェブＷまたは可撓性ベルト６によって引き込まれる空気に影響を及ぼさない、第１の位置と、第２の位置であって、この第２の位置では可撓性ベルト６および／または紙ウェブＷによって引き込まれる空気流（境界層空気）が楔形状空間ＷＳから離れて逸らされるようにエアデフレクタ８が接触点Ｐに近接する、第２の位置と、の間で移動できるように配置される。図５には、エアデフレクタ８が紙ウェブＷおよび可撓性ベルト６から分離して示される。図５に示される実施形態では、エアデフレクタ８がホルダ３２上に支持され、また、ホルダ３２は、１または複数のアクチュエータ２８，２９によって作用され得る１または複数のリンクアーム３１によって保持されてもよい。アクチュエータ２８，２９は、例えば、液圧シリンダまたは空気圧シリンダであってもよい。このように、エアデフレクタ８を保持するリンクアーム３１およびアクチュエータ２８，２９は、エアデフレクタの第１の位置と第２の位置との間でエアデフレクタ８を移動させるように配置される。
【００２３】
図４において分かるように、エアデフレクタ８は、それが楔形状空間ＷＳ内で作用し得るように配置され、すなわち、可撓性ベルト６およびウェブＷの両方の近傍に配置されるとともに、紙ウェブＷの可撓性ベルト６と同じ側に配置される。
【００２４】
エアデフレクタ８が固定された位置にある実施形態も想定し得ることが理解されるべきである。そのような実施形態において、エアデフレクタ８は、移動できないが、それが紙ウェブＷおよび／または可撓性ベルト６によって引き込まれる空気流を逸らすことができる位置に恒久的に配置される。
【００２５】
図５の実施形態において、リンクアーム３１およびアクチュエータ２８，２９は、好ましくは固定されるビーム３０によって支持される。ホルダ３２のスロット３５は、アクチュエータ２９の上部のための案内を行う。当業者は、エアデフレクタ８が楔形状空間ＷＳ内へおよび楔形状空間ＷＳから移動できるように配置され得る多くの異なる方法を容易に想起でき、また、図５に示されるリンクアーム３１およびアクチュエータ２８，２９は、単なる１つの解決策を表しているにすぎない。大部分の現実的な実施形態では、エアデフレクタ８の各軸方向端部に、エアデフレクタ８のためのホルダ３２が存在し得ることが理解されるべきである。エアデフレクタ８は、エアデフレクタ８の軸方向端部が機械の異なる側に位置されるように実質的に幅方向に延びる。同様に、リンクアーム３１およびアクチュエータ２８，２９は、エアデフレクタ８の軸方向の両端部に配置されることが好ましい。
【００２６】
図５において分かるように、エアデフレクタ８は、三角形断面を有するビームとして形成されてもよい。エアデフレクタ８の第１の壁部３３は、動作中に紙ウェブＷと対向するように配置され、一方、エアデフレクタの第２の壁部３４は、動作中に可撓性ベルト６と対向するように配置される。第３の壁部３７は、第１の壁部３３を第２の壁部３４に接続するように配置されてもよい。
【００２７】
図５において分かるように、エアデフレクタ８は少なくとも１つのブレード９を有してもよく、該ブレード９は、エアデフレクタ８がその第２の位置にあるときに、ブレード９を可撓性ベルト６または紙ウェブＷにさらに近づけることができるようにエアデフレクタ８に対して調整され得る。例えば、ブレード９は、それがヒンジによってエアデフレクタ８上の点３６に接続されるように配置されてもよい。ブレード９は、可撓性ベルト６へ向けて揺動されてもよく、また、ブレード９と可撓性ベルト６との間の距離が減少するように異なる位置でロックされてもよい。これにより、エアデフレクタ８は、可撓性ベルト６によって引き込まれる空気を楔形状空間ＷＳから離れるように逸らすのにさらに一層効果的である。少なくとも１つのブレード９は、回動されるように配置される必要がなく、代わりに、その位置を直線移動で調整できるようにエアデフレクタ８によって支持され得ることが理解されるべきである。また、そのようなブレードを紙ウェブＷに近づけるように配置することもできることが理解されるべきである。
【００２８】
ここで、図６を参照する。図３〜図５に関連して前述したエアデフレクタを使用することに加えて、巻き取り器は、紙ウェブが可撓性ベルトと接する接触点Ｐで可撓性ベルト６のループの内側に位置される吸引ロール１０を備えてもよい。そのような実施形態において、吸引ロール１０は、接触点Ｐの上流側および下流側の両方で作用する吸引ゾーン１０ａを有する。吸引ロール１０の吸引ゾーン１０ａは、空気が楔形状空間ＷＳから排出されるように、空気を楔形状空間ＷＳから離れるように吸引する。この解決策は、可撓性ベルト６が空気を透過できることを要する。したがって、空気透過性の可撓性ベルト６が使用される。図６にはエアデフレクタ８が示されないが、これは、単に図６が吸引ロール１０の使用に焦点を合わせているにすぎないからである。図６の吸引ロールがエアデフレクタと組み合わせて使用されることが理解されるべきである。また、空気を楔形状空間ＷＳから排出するために吸引ロールが使用されない実施形態でも可撓性ベルト６が空気透過性であってもよいことが理解されるべきである。空気を楔形状空間ＷＳから排出するために吸引ロールが使用されない実施形態では、可撓性ベルト６が空気を透過してもよくあるいは空気を透過しなくてもよい。
【００２９】
さらにまた、エアデフレクタ８は、空気を楔形状空間から離れるように吸引する吸引ロール１０と組み合わされる。エアデフレクタ８および吸引ロール１０の両方が組み合わせて使用されるときには、結果がさらに一層良好となり得る。
【００３０】
本発明の有利な実施形態において、巻き取り器３には随意的に少なくとも１つのブローボックス１１が設けられてもよく、該ブローボックス１１は、紙ウェブＷを可撓性ベルト６に対して引き寄せる負圧を生み出すことができるように接触点Ｐとリールスプール５との間で可撓性ベルト６のループの内側に配置される。これは、接触点Ｐの下流側で紙ウェブＷのばたつきのリスクをさらに減少させる。ブローボックス１１に代わる手段として、負圧を生み出すための何らかの他の装置が使用されてもよい。そのようなブローボックス１１の使用は、可撓性ベルト６が空気透過性であることを要する。互いに追従する幾つかのブローボックス１１が使用されてもよい。
【００３１】
図３および図６において最も良く分かるように、更なるエアデフレクタ２７が随意的に楔形状空間ＷＳから離れた箇所で可撓性ベルト６に隣接して配置されてもよい。更なるエアデフレクタ２７の目的は、空気が楔形状空間ＷＳ内へ運ばれるのを単に防止するだけではない。代わりに、更なるエアデフレクタ２７の主要な目的は、空気中の塵埃が可撓性ベルト６の直ぐ近傍から遠くへ運ばれるように可撓性ベルト６から離れる空気の流れを形成することである。更なるエアデフレクタ２７は任意であり、そのような更なるエアデフレクタ２７を伴わない実施形態が完全に可能である。
【００３２】
ここで、図１および図２を再び参照する。図１および図２において分かるように、可撓性ベルト６は、該可撓性ベルト６のループの内側のガイドロール１０，１２，１３，１４によってそのループ内で案内される。随意的に、１または複数のガイドロール１５が可撓性ベルト６のループの外側に配置されてもよい。図１において分かるように、リールスプール５（したがって、リールスプール５上に巻き付けられている紙ロール４も）は、リールスプール５の上流側に位置されるガイドロール１２と該ガイドロールの下流側に位置されるガイドロール１３との間の箇所で紙ウェブＷと係合するように配置される。本発明の有利な実施形態において、上流側ガイドロール１２は、可撓性ベルトが部分的に巻き付く吸引ロールである。図１において、参照数字１２ａは、ガイドロール１２の吸引ゾーンを示す。この位置での吸引ロール１２の使用は、可撓性ベルトに対する紙ウェブＷの付着力を高めるとともに、ウェブばたつきのリスクを軽減する。上流側ガイドロール１２が必ずしも吸引ロールである必要がないことが理解されるべきである。したがって、上流側ロールが中実ロールであってもよい。ロール１２がその軸方向端部の一方にだけ吸引ゾーンを有する実施形態も考えられる。ロール１２の軸方向端部に位置されるそのような吸引ゾーンは通紙（ｔｈｒｅａｄｉｎｇ）のために使用され得る。
【００３３】
ここで、前述した本発明の巻き取り器は、紙ウェブＷがリールスプール５上に巻き付けられるとともに可撓性ベルト５上でリールスプール５へと搬送される一方で、エアデフレクタ８によってあるいはエアデフレクタ８と接触点Ｐで可撓性ベルト６のループの内側に位置される吸引ロール１０との組み合わせによって可撓性ベルト６と紙ウェブＷとの間に形成される楔形状空間ＷＳから離れるように空気が逸らされる方法であって、吸引ロール１０の吸引ゾーン１０ａが接触点Ｐの上流側および下流側の両方で作用する方法に対応することが分かる。
【００３４】
本発明の方法は、エアデフレクタ８を、接触点Ｐから離れた第１の位置から、可撓性ベルト６および／または紙ウェブＷによって引き込まれる空気流が楔形状空間ＷＳから離れて逸らされるようにエアデフレクタ８が接触点Ｐに近接する第２の位置へと移動させるステップを含んでもよい。
【００３５】
本発明の実施形態では、エアデフレクタ８が加圧空気源に接続されてもよく、また、エアデフレクタ８が開口を有し、該開口を通じて空気がデフレクタから紙ウェブＷおよび／または可撓性ベルト６の移動方向と平行な方向で引き込まれてもよい。そのような実施形態において、空気は、好ましくは、紙ウェブＷおよび／または可撓性ベルト６の移動方向とは反対の方向で引き込まれなければならない。そのような実施形態において、エアデフレクタ８から引き込まれる空気は、紙ウェブＷとエアデフレクタ８との間の領域でおよび／またはエアデフレクタ８と可撓性ベルト６との間の領域で負圧を引き起こしてもよい。それにより、紙ウェブＷおよび／または可撓性ベルト６がエアデフレクタ８へ向けて吸引されるとともに、空気の境界層が紙ウェブＷおよび／または可撓性ベルト６に追従して楔形状空間ＷＳ内へ入ることがさらに防止される。
【００３６】
以上、巻き取り器および方法に関して本発明を説明してきたが、これらのカテゴリーは１つの同じ発明の異なる態様を単に反映するにすぎないこと、および、当該方法は、本発明の巻き取り器の使用の必然的な結果であるステップを、そのようなステップが明確に言及されたか否かにかかわらず含んでもよいこと、が理解されるべきである。
【００３７】
本発明の巻き取り器および本発明の方法により、巻き取り器３の可撓性ベルト６上での紙ウェブＷのばたつきを減少させるあるいは排除することができる。
【００３８】
以上、ヤンキー乾燥シリンダ２を使用する機械に関連して本発明を説明してきたが、本発明の機械および本発明の方法が他の乾燥ユニット、例えばＴＡＤシリンダを使用する製紙機械でも使用され得ることが理解されるべきである。本発明は、ティッシュペーパー機械に特に適しているが、他の製紙機械において使用することもできる。
【００３９】
以上、巻き取り器３に関して本発明を説明してきたが、本発明は、製紙機械のドライエンド全体のような、より広い用語で規定することもできる。その場合、本発明のドライエンドは、乾燥シリンダ２および該乾燥シリンダの下流側に位置される巻き取り器３の両方を含んでもよく、その場合、動作中に紙ウェブが乾燥シリンダからオープンドローを含む経路に沿って巻き取り器へと移動するようになっており、オープンドローは可撓性ベルトとの接触点で終端し、この接触点でウェブが可撓性ベルトと接し、それにより、楔形状空間が可撓性ベルトと紙ウェブとの間に形成され、この接触点から紙ウェブが可撓性ベルトによって巻き取り器へと運ばれる。
【００４０】
また、図１に関連して説明される構成では、リールスプール５および可撓性ベルトを互いに対して位置決めするためのアクチュエータ７が、本発明の巻き取り器、本発明のドライエンド１、および、本発明の方法の一部であってもよいことも理解されるべきである。
【図１】
2018140877.tif 000003
【図２】
2018140877.tif 000004
【図３】
2018140877.tif 000005
【図４】
2018140877.tif 000006
【図５】
2018140877.tif 000007
【図６】
2018140877.tif 000008
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
製紙機械内の乾燥シリンダ（２）から到達する紙ウェブ（Ｗ）を受け取り、当該紙ウェブ（Ｗ）を巻き付けてロール（４）にするための巻き取り器（３）であって、前記乾燥シリンダ（２）は前記巻き取り器（３）の上流側に位置され、前記紙ウェブ（Ｗ）は、前記乾燥シリンダ（２）から前記巻き取り器（３）へと向かう移動経路をたどり、前記巻き取り器（３）は、回転可能に取り付けられ、直径が次第に増大するように紙ロール（４）を形成するべく紙ウェブ（Ｗ）が巻き付けられ得るリールスプール（５）と、無端の可撓性ベルト（６）であって、該可撓性ベルト（６）がループを形成するように所定の移動経路に沿って回転するように取り付けられる、可撓性ベルト（６）とを備え、前記可撓性ベルト（６）は、巻き付け中に前記紙ウェブ（Ｗ）を前記リールスプール（５）に係合させるべく前記リールスプール（５）の近傍に位置され、前記巻き取り器（３）は、楔形状空間（ＷＳ）が前記可撓性ベルト（６）と前記紙ウェブ（Ｗ）との間に形成されるように前記紙ウェブ（Ｗ）が前記可撓性ベルト（６）と接する前記可撓性ベルト（６）との接触点（Ｐ）で終わる前記紙ウェブ（Ｗ）の移動経路の端部で前記紙ウェブ（Ｗ）を受けるように配置され、前記接触点（Ｐ）から前記紙ウェブ（Ｗ）が前記可撓性ベルト（６）によって前記リールスプール（５）へと運ばれる巻き取り器（３）において、
前記巻き取り器（３）は、前記接触点（Ｐ）の直前の領域にエアデフレクタ（８）をさらに備え、前記エアデフレクタ（８）は、前記紙ウェブ（Ｗ）および／または前記可撓性ベルト（６）によって引き込まれる空気流を前記楔形状空間（ＷＳ）から離れるように逸らすことができる、巻き取り器（３）。
【外国語明細書】
2018140877000001.pdf